(57)【要約】小型プロジェクタを動作させる方法は、映し出す画像データを受信することと、画面の光ビームを発生させることと、少なくとも１つの画像を形成するために画面の第１のエッジから最終エッジまで第１のパターンに従って光ビームを走査して、第１のパターンは、ビームが第２の軸に沿って順次走査する時に、第１の軸に沿って振幅振動するような走査線の波動パターンであり、第２の軸は、第１の軸とほぼ垂直であって、第１のパターンは、第１の軸に沿って第１の方向に向いている第１のエッジからの第１の振動を有することと、少なくとも別の画像を形成するために画面の第２のエッジから第２の最終エッジまで第２のパターンに従って光ビームを走査し、第２のパターンは、ビームが第２の軸に沿って順次走査する時に、第１の軸に沿って振幅振動するような走査線の波動パターンであって、第２のパターンは、第１の方向と反対である第１の軸に沿って第２の方向に向いている第２のエッジからの第１の振動を有することを備える。
2014518400.tif 000002
【特許請求の範囲】
【請求項１】
走査する画像の画像データを受信するステップと、
前記画像データに応答して光ビームを発生させるステップと、
第１のエッジから最終エッジまで第１のパターンに従って光ビームを走査して少なくともひとつの画像を形成するステップであって、前記第１のパターンは、ビームが第２の軸に沿って順次走査する時に、第１の軸に沿って振幅振動するような走査線の波動パターンであり、前記第２の軸は、前記第１の軸とほぼ垂直であり、前記第１のパターンは、前記第１の軸に沿って第１の方向に向いている前記第１のエッジからの第１の振動を有する、ステップと、
第２のエッジから第２の最終エッジまで第２のパターンに従って光ビームを走査して少なくとも別の画像を形成するステップであって、前記第２のパターンは、前記ビームが前記第２の軸に沿って順次走査する時に、前記第１の軸に沿って振幅振動するような走査線の波動パターンであり、前記第２のパターンは、前記第１の方向と反対である前記第１の軸に沿って第２の方向に向いている前記第２のエッジからの第１の振動を有する、ステップと、
を含む、方法。
【請求項２】
前記光ビームの複数の前記第１のパターンおよび第２のパターンを交互に走査することを含む、請求項１に記載の方法。
【請求項３】
ビデオのｎ数の完全フレームになるように前記画像データを構成または処理することであって、ｎは、整数であり、前記第１のパターンは、前記ｎ数の完全フレームのうちの奇数フレームに対応し、および前記第２のパターンは、前記ｎ数の完全フレームのうちの偶数フレームに対応することを含む、請求項２に記載の方法。
【請求項４】
前記第１のエッジと前記第２のエッジとを一列に並べて前記第１の軸から等距離になるようにすることを含む、請求項３に記載の方法。
【請求項５】
前記第１の軸に沿って方向付けられたｍ走査線を有するビデオのｎ数の完全フレームになるように前記画像データを構成しまたは処理することと、
各完全フレームが第１のサブフレームおよび第２のサブフレームを備えるように構成することと、
前記ｍ走査線の一部の行を前記第１のサブフレームに割り当てるステップであって、前記第１のパターンは、前記第１のサブフレームに対応することと、
前記ｍ走査線の別の行を前記第２のサブフレームに割り当てることであって、前記第２のパターンは、前記第２のサブフレームに対応することと、
を含む、請求項２に記載の方法。
【請求項６】
前記第１のエッジと前記第２のエッジとを位置付けて前記第１の軸から異なる距離となるようにすることを含む、請求項１に記載の方法。
【請求項７】
異なる色から成る少なくとも３つのレーザビームを用いて前記光ビームを発生させることを含む、請求項２に記載の方法。
【請求項８】
異なる色から成る前記光ビームを発生させるために少なくとも３つの発光ダイオードを用いることを含む、請求項２に記載の方法。
【請求項９】
少なくとも１つの走査ミラーを用いて、異なる色から成る前記３つのレーザビームを走査して前記光ビームを発生させることを含む、請求項７に記載の方法。
【請求項１０】
少なくとも３つの発光ダイオードを用いて、異なる色から成る前記光ビームを発生させることを含む、請求項８に記載の方法。
【請求項１１】
前記第２の軸において可変走査速度値を用いることを含む、請求項１に記載の方法。
【請求項１２】
前記画像データに必要な輝度レベルに応答する走査速度値を割り当てることを含む、請求項１１に記載の方法。
【請求項１３】
前記走査速度値を、前記第１の軸に沿って方向付けられた完全走査線に必要な全輝度レベルと反比例するように設定することを含む、請求項１２に記載の方法。
【請求項１４】
前記走査線が不均一な間隔になるように構成することであって、前記画像データは、ビデオのｎ数の完全フレームを備え、およびあるフレームから別のフレームまでの固定数の走査線が存在することを含む、請求項１に記載の方法。
【請求項１５】
前記画像データに必要な輝度レベルに応答して走査線間隔値を割り当てることを含む、請求項１４に記載の方法。
【請求項１６】
前記間隔値を、前記第１の軸に沿って方向付けられた前記画像データの完全走査線に必要な全輝度レベルと反比例するように設定することを含む、請求項１５に記載の方法。
【請求項１７】
異なる色から成る少なくとも３つの異なる光ビームの発生源と、
表示面の前記ビームを走査する手段と、
第１のパターンを発生させる手段であって、前記第１のパターンは、前記ビームが前記第１の軸と垂直である第２の軸に沿って順次走査する時に、第１の軸に沿って振幅振動するような走査線の波動パターンであり、前記第１のパターンは、前記第１の軸に沿って第１の方向に向いている第１のエッジからの第１の振動を有し、前記走査する手段は、表示面上の前記第１のエッジから最終エッジまで前記第１のパターンに従って前記光ビームを走査して少なくとも１つの画像を形成するように適用される、手段と、
第２のパターンを発生させる手段であって、前記第２のパターンは、前記ビームが前記第２の軸に沿って順次走査する時に、前記第１の軸に沿って振幅振動するような走査線の波動パターンであり、前記第２のパターンは、前記第１の方向と反対である前記第１の軸に沿って第２の方向に向いている第２のエッジからの第１の振動を有する第１の軸に沿って第２の方向に向いている第２のエッジからの第１の振動を有し、前記走査する手段は、少なくとも別の画像を形成するために前記表示面の前記第２のエッジから第２の最終エッジまで前記第２のパターンに従って前記光ビームを走査するように適用され、前記走査する手段は、前記光ビームの複数の前記第１のパターンおよび第２のパターンを交互に走査するように適用される、手段と、
を備える、小型プロジェクタ。
【請求項１８】
前記走査の前記手段は、前記第１の軸に沿って方向付けられたｍ走査線を有するビデオのｎ数の完全フレームになるように画像データを処理するように構成されるステップと、
前記走査する手段は、各完全フレームが第１のサブフレームおよび第２のサブフレームを備えるようにさせるように構成され、
前記走査する手段は、前記ｍ走査線の奇数行を前記第１のサブフレームに割り当てるように構成され、前記第１のパターンが前記第１のサブフレームに対応し、
前記走査する手段は、前記ｍ走査線の偶数行を前記第２のサブフレームに割り当てるように構成され、前記第２のパターンが前記第２のサブフレームに対応することを特徴とする、
請求項１７に記載の小型プロジェクタ。
【請求項１９】
走査する手段は、ビデオのｎ数の完全フレームになるように前記画像データを処理するように構成され、ｎは、整数であり、前記第１のパターンは、前記ｎ数の完全フレームのうちの奇数フレームに対応し、および前記第２のパターンは、ｎ数の完全フレームのうちの前記偶数フレームに対応する、請求項１７に記載の小型プロジェクタ。
【請求項２０】
走査する手段は、前記走査線速度値が前記第１の軸に沿って方向付けられた完全走査線に必要な全輝度レベルと反比例するように前記画像データに必要な輝度レベルに応答して、前記第１のパターンおよび第２のパターンのそれぞれにおいて走査速度値が変わるように構成される、請求項１７に記載の小型プロジェクタ。
【発明の詳細な説明】
【技術分野】
【０００１】
本発明は、小型プロジェクタおよび小型プロジェクタを動作させる方法に関する。
【０００２】
（関連出願の相互参照）
本出願は、２０１１年６月３日に出願された米国特許仮出願第６１／５２００６８号明細書の優先権を主張し、その開示内容は、参照により本明細書にすべて組み込まれ、および本出願は、２０１１年６月３日に出願された米国特許仮出願第６１／５２００６７号明細書に関連する。
【０００３】
本発明は、小型プロジェクタおよび小型プロジェクタを動作させる方法に関する。
【背景技術】
【０００４】
小型レーザプロジェクタは、ピコプロジェクタ、ナノプロジェクタ、およびマイクロプロジェクタとも呼ばれ、一般に、電池式の携帯型プロジェクタであり、その小型サイズ故にある種のアプリケーションにとって便利であることから人気を得ている。小型レーザプロジェクタを携帯用端末またはノート型パソコンに接続することができ、そして画像を画面または壁面に表示することができる。
【０００５】
残念ながら、小型レーザプロジェクタは、一般に、光出力が低く、それによってプロジェクタのユーティリティを周囲の背景光が弱い環境に制限している。このようなレーザベースの装置は、典型的には、わずか１ｍＷ程度の電力を示しているにすぎない。
【０００６】
このような装置の最大輝度を、出力の電力を増加させることによって上げることができる。しかしながら、そのような電力の増加は、悪影響をもたらすこともある。健康面から言えば、レーザ電力の増加によって目に損傷を与える可能性が増す。動作面から言えば、レーザ電力の増加によって電池残量が急速に枯渇し、レーザダイオードの損傷または動作性能の変化を防ぐために放散されなければならない過剰な熱を生成する。
【０００７】
小型ディスプレイのピーク輝度を改善するために高速走査軸の水平走査速度の変調が考えられ、水平走査速度の変調がＣＲＴディスプレイに組み込まれ、エッジの鮮明さを改善した。しかしながら、水平走査速度の変調は、輝度を上げるのに用いられなかった。
【０００８】
従来のレーザプロジェクタでは、ブラウン管の電子ビームの誘導と類似した方法でレーザビームをラスター走査するために、移動マイクロミラーが用いられている。水平走査の動きは、水平走査の共振周波数において水平軸を走行することによって生成され、水平走査の共振周波数は、典型的には、およそ１８ＫＨｚである。水平走査速度は、位置によって正弦的に変わる。走査コントローラは、スキャナーのセンサーからのフィードバックを用いて、システムが、固定した走査振幅で共振を維持するようにする。画像は、スキャナーがビームを往復掃引する時に両方向で描画される。これは、２つの方法においてシステム効率に役立つ。第１に、共振して走行することによって、走査ミラーの駆動に必要な電力が最小になる。第２に、ビデオの双方向の水平走査は、ビデオ消去期間を最小にすることによってレーザの使用効率が最大になる。双方向の走査は、レーザビームが左右に掃引される（ラスター走査パターンが循環するのであれば、上下に掃引される）間にレーザが光を発することを意味する。この結果、所与のレーザの出力電力でプロジェクタがより明るくなる。
【０００９】
垂直走査方向は、従来、画像の上から下まで一定の速度を与える標準ののこぎり波形で駆動され、そして図１に示すように、急速に帰線しながら上まで戻って新しいフレームを開始する。フレームレートは、典型的には、８４８×４８０ＷＶＧＡ解像度の６０Ｈｚが可能である。一部の条件に従ってまたは一部の特定の適用要件に対してフレームレートまたは解像度を上げることができる。
【００１０】
小型レーザディスプレイの制限された実用性に関連する増加するレーザ電力、および考えられる安全および性能の懸念を踏まえて、小型レーザディスプレイをより最適に動作させる必要がある。
【発明の概要】
【００１１】
与えられる方法は、走査する画像の画像データを受信するステップと、画像データに応答して光ビームを発生させるステップと、少なくとも１つの画像を形成するために画面の第１のエッジから最終エッジまで第１のパターンに従って光ビームを走査するステップであって、第１のパターンは、ビームが第２の軸（Ｙ軸）に沿って順次走査する時に、第１の軸（Ｘ軸）に沿って振幅振動するような走査線の波動パターンであり、第２の軸は、第１の軸とほぼ垂直であって、第１のパターンは、第１の軸に沿って第１の方向に向いている第１のエッジからの第１の振動を有する、走査するステップと、少なくとも別の画像を形成するために画面の第２のエッジから第２の最終エッジまで第２のパターンに従って光ビームを走査するステップであり、第２のパターンは、ビームが第２の軸に沿って順次走査する時に、第１の軸に沿って振幅振動するような走査線の波動パターンであって、第２のパターンは、第１の方向と反対である第１の軸に沿って第２の方向に向いている第２のエッジからの第１の振動を有する、走査するステップとを備える。理想的には、画面の中央部のビームが画面に垂直になるように、ビーム源は、画面に向かって中央に位置付けられる。しかしながら、本明細書に組み込まれるシステムは、概ねモバイルであるので、それに関係する位置決めが変わり得る。一部の例では、ビーム源が画面の中央より下であっても、横方向では中央に位置付けることができる。本方法では、光ビームの複数の第１および第２のパターンを交互に走査することを含むことができる。さらに、本方法は、ビデオのｎ数の完全フレームになるように画像データを構成または処理することを含むことができる。ここでのｎは、整数であり、第１のパターンは、ｎ数の完全フレームのうちの奇数フレームに対応し、第２のパターンは、ｎ数の完全フレームのうちの偶数フレームに対応し、そして第１のエッジおよび第２のエッジを第１の軸から等距離とすることができる。あるいは、本方法は、第１の軸に沿って方向付けられたｍ走査線を有するビデオのｎ数の完全フレームになるように画像データを構成または処理することと、各完全フレームが第１のサブフレームおよび第２のサブフレームを備えるように構成することと、ｍ走査線の一部の行を第１のサブフレームに割り当てることであって、第１のパターンは、第１のサブフレームに対応することと、ｍ走査線の別の行を第２のサブフレームに割り当てることであって、第２のパターンは、第２のサブフレームに対応することができ、そして第１のエッジと第２のエッジとを第１の軸から異なる距離とすることができる、ことを備えることができる。
【００１２】
本発明の実施形態は、第２の軸において可変走査速度値を用いることをさらに備えることができ、走査速度値は、画像データに必要な輝度レベルに応答することができるか、または走査速度値を、第１の軸に沿って方向付けられた完全走査線に必要な全輝度レベルと反比例させることができる。このような実施形態は、走査線が不均一な間隔になるように構成することを含むことができ、画像データは、ビデオのｎ数の完全フレームを備え、そしてあるフレームから別のフレームまでの固定数の走査線が存在し、その走査線間隔値は、画像データに必要な輝度レベルに応答することができるか、または走査線間隔値は、第１の軸に沿って方向付けられた画像データの完全走査線に必要な全輝度レベルと反比例することができる。
【００１３】
小型プロジェクタに対する本発明の実施形態は、異なる色から成る少なくとも３つの異なる光ビーム源と、表示面に光ビームを走査する手段と、第１のパターンを発生させる手段であり、第１のパターンは、ビームが第１の軸と垂直である第２の軸（Ｙ軸）に沿って順次走査する時に、第１の軸（Ｘ軸）に沿って振幅振動するような走査線の波動パターンであり、第１のパターンは、第１の軸に沿って第１の方向に向いた第１のエッジからの第１の振動を有することであって、走査する手段は、少なくとも１つの画像を形成するために表示面の第１のエッジから最終エッジまで第１のパターンに従って光ビームを走査するように適用される、第１のパターンを発生させる手段と、第２のパターンを発生させる手段であり、第２のパターンは、ビームが第２の軸に沿って順次走査する時に、第１の軸に沿って振幅振動するような走査線の波動パターンであり、第２のパターンは、第１の方向と反対である第１の軸に沿って第２の方向に向いている第２のエッジからの第１の振動を有する第１の軸に沿って第２の方向に向いている第２のエッジからの第１の振動を有することであって、走査する手段は、少なくとも別の画像を形成するために表示面の第２のエッジから第２の最終エッジまで第２のパターンに従って光ビームを走査するように適用され、そして走査する手段は、光ビームの複数の第１および第２のパターンを交互に走査するように適用される、第２のパターンを発生させる手段とを備える。小型プロジェクタにおいて、走査する手段を、第１の軸に沿って方向付けられたｍ走査線を有するビデオのｎ数の完全フレームになるように画像データを処理するように構成することができ、走査する手段を、各完全フレームが第１のサブフレームおよび第２のサブフレームを備えるようにさせるように構成することができ、走査する手段を、ｍ走査線の奇数行を第１のサブフレームに割り当て、第１のパターンが第１のサブフレームに対応するように構成することができ、走査する手段を、ｍ走査線の偶数行を第２のサブフレームに割り当て、第２のパターンが第２のサブフレームに対応するように構成することができる。あるいは、走査する手段を、ビデオのｎ数の完全フレームになるように画像データを処理するように構成することができる。ここでのｎは、整数であり、第１のパターンは、ｎ数の完全フレームのうちの奇数フレームに対応し、そして第２のパターンは、ｎ数の完全フレームのうちの偶数フレームに対応する。さらに、小型プロジェクタを、走査線速度値が第１の軸に沿って方向付けられた完全走査線に必要な全輝度レベルと反比例するように画像データに必要な輝度レベルに応答して、第１のパターンおよび第２のパターンのそれぞれにおいて走査速度値が変わるように構成することができる。
【図面の簡単な説明】
【００１４】
本発明について、図面を参照して詳細に説明する。
【図１Ａ】本発明に組み込まれるラスター走査合成パターンおよび垂直走査成分パターンおよび水平走査成分パターンを示す図である。
【図１Ｂ】本発明に組み込まれるラスター走査合成パターンおよび垂直走査成分パターンおよび水平走査成分パターンを示す図である。
【図１Ｃ】本発明に組み込まれるラスター走査合成パターンおよび垂直走査成分パターンおよび水平走査成分パターンを示す図である。
【図２Ａ】均一な輝度を有するビデオ画像のラスター走査パターンおよび不均一な輝度を有するビデオ画像のラスター走査パターンを示す図である。
【図２Ｂ】均一な輝度を有するビデオ画像のラスター走査パターンおよび不均一な輝度を有するビデオ画像のラスター走査パターンを示す図である。
【図３Ａ】均一な輝度フレームの垂直走査成分パターンおよび不均一な輝度フレームを有するビデオ画像を示す図である。
【図３Ｂ】均一な輝度フレームの垂直走査成分パターンおよび不均一な輝度フレームを有するビデオ画像を示す図である。
【図４】本発明に係るシステムアーキテクチャのブロック図を示す。
【図５Ａ】本発明に係るインターリーブ走査によるラスター走査パターンを示す図である。
【図５Ｂ】本発明に係るインターリーブ走査によるラスター走査パターンを示す図である。
【図６】本発明に係る別のインターリーブ手法を示す図である。
【図７】本発明に係る可変走査とインターリーブ走査とを組み合わせたラスター走査パターンのセットを示す図である。
【図８】本発明に係る可変走査とインターリーブ走査とを組み合わせた別のラスター走査パターンのセットを示す図である。
【図９】本発明のさまざまな実装の使用を表す流れ図である。
【発明を実施するための形態】
【００１５】
レーザベースまたは発光ダイオードベースであり得る、小型ディスプレイのピーク輝度を上げ、小型ディスプレイ画像の均一性を維持および／または改善するために、いくつかの走査速度の変調方法および／またはインターリーブ走査パターンが組み込まれた本発明の実施形態を開示する。
【００１６】
本発明に組み込まれる小型ディスプレイについての重要な留意事項は、均一な水平走査パターンを作るために消去される水平帰線期間が必要である、ＣＲＴとは違い、水平帰線の消去は実用的でないということである。その理由は、実際の画像がフェーズを作成する時の水平帰線によって、有効に表示される輝度が半減する恐れがあるからである。これは、レーザまたはＬＥＤビームの帰線時間が、動作中の走査時間に等しいという事実による。
【００１７】
本発明は、単一のミラー、マイクロミラー、ミラーまたはマイクロミラーの集合、あるいはビームをラスター走査するサーボステアリングシステム機構を有する光ファイバーケーブルシステムを組み込むことができる。本明細書にわたってミラーという語について言及するが、マイクロミラー、ミラーの集合、走査可能な光ファイバーケーブルなどを含み得る、光ビームを走査する他の適した手段も本発明の特徴と見なされることを目的とすることに留意しなければならない。
【００１８】
水平走査の動きは、水平走査の共振周波数で水平軸を走行することによって生成され、共振周波数は、およそ１８ＫＨｚになる。水平走査速度は、位置によって正弦的に変わる。水平および正弦的という表現が用いられるが、本発明の実施形態は、ラスター走査が循環するシステムを可能にすることを目的としており、さまざまなジグザグ状、のこぎり歯状などの、他の波形パターン、およびビームが波形サイクルの両方向で走査されることを目的とすることを理解の上、適した他の横波パターンも適切な実施形態であることをさらに目的とすることにも留意しなければならない。
【００１９】
ミラーまたはミラーシステムの走査コントローラは、スキャナーのセンサーからのフィードバックを用いて、システムが、固定した走査振幅で共振を維持するようにできる。画像は、スキャナーがビームを往復掃引する時に両方向で描画される。これは、２つの方法においてシステム効率に役立つ。第１に、共振して走行することによって、走査ミラーの駆動に必要な電力が最小になる。第２に、双方向走査（即ち、左右の掃引時に映し出される光）は、ビデオ消去期間を最小にすることによってビームの使用効率が最大になる。この結果、所与のレーザまたは光の出力電力でプロジェクタがより明るくなる。
【００２０】
垂直走査方向は、画像の上から下まで一定の速度を与える標準ののこぎり波形で駆動されて、図１に示すように、急速な帰線１９が上まで戻って新しいフレームを開始する。フレームレートは、８４８×４８０ＷＶＧＡ解像度の６０Ｈｚが可能である。一部の条件に従ってまたは一部の特定の適用要件（例えば、ビデオの特定のフレームが複数回フラッシュまたは走査されるシステム）に対してフレームレートまたは解像度を上げることができる。本発明が利用する一般的なラスター走査パターンの図を図１に示す。特に、図１Ａは、プロジェクタの光ビーム１２がミラー（またはミラーシステム）によって画面または壁面１１でどのように走査されるかを示す。特定の例において、図１Ａは、ミラーがＸ軸に水平にＹ軸に垂直に循環する結果を、Ｔ＝０が光１２が画面１１に最初に映し出される時間になることを示す時間関数として示す。時間Ｔ＝０は、図１Ａに示すように、画面の上部１３に対応し、Ｔ＝０は、水平レベルＹ＝＋ｆにおいて開始することができる。Ｔ＝ｃは、可視画面の下部１４に対応し、Ｔ＝ｃは、水平レベルＹ＝−ｆにおいて存在する。図１Ａは、ミラーが、Ｔ＝０におけるＹ＝＋ｆからＴ＝ｃにおけるＹ＝−ｆへと正弦的に下るビーム１２をラスター走査し、それによって、ビデオデータの１フレームまたは１サブフレームのビデオ画像を効率的に完了することをさらに示す。ビームの左右を個々に走査する数は、システム要件および／または、表示用に設計された解像度およびピクセル数などの、特性によって変わり得る。個々の完全走査サイクルは、ビームが垂直位置Ｘ＝＋ｇにおける画面の垂直右エッジ１７に到達する時に走査の最右においてオーバースキャンされる右消去領域１５と、ビームが垂直位置Ｘ＝−ｇにおける画面の垂直左エッジ１８に到達する時に走査の最左においてオーバースキャンされる左消去領域１６とを含むことができる。オーバースキャンされる消去領域は、ビームが可視画面上にないか、またはビームが適切に遮断された可視画面の外側の領域である。ミラーは、越えている可視画面のエッジに対応する位置に垂直に映し出される画面１１の底部１４および上部１３においてオーバースキャンが存在する。
【００２１】
図１Ｂは、走査ミラーの垂直成分を示し、図１Ｃは、走査ミラーの水平成分を示す。図１Ｂは、ミラーが、Ｔ＝０でのＹ＝＋ｆにおける画面の上部１３からＴ＝ｃでのＹ＝−ｆにおける底部へと下るビームをどのように走査するかを示す。図１Ｂにおいて、垂直軸は、時間軸であり、水平軸は、Ｙ軸である。
【００２２】
図１Ｃは、ミラーがどのようにビームを振動するかを示しており、Ｔ＝０における中央線Ｘ＝０から右横に右エッジ１７に向かいオーバースキャンされる消去領域１５に入り、その後、左方向から左エッジ１８に向かって、その後、右エッジ１７に向かうなど、ビームがＴ＝ｃにおける中央線Ｘ＝０に到達するまで振動する。図１Ｃは、オーバースキャンされる消去領域１６、１５を示し、それらの領域は、ミラーが正弦波サイクルの極限に向いている、Ｘ＝−ｇおよびＸ＝＋ｇを越えて映し出される位置である。
【００２３】
図１Ｂに関して、垂直成分の勾配が線形であることを指摘することが重要であり、ビデオの特定の画像フレームに必要な強度がフレームにわたって均一であれば理想的である。しかしながら、本発明の重要な特徴は、特定のフレームに必要な強度が、一部の領域が他の領域よりも高い輝度を必要とするという点で均一でない場合のビデオの特定のフレームおける垂直成分の変化速度である。そのため、技術的には、ある横方向の領域から隣接する横方向の領域までの輝度が変更される場合、時間Ｔに対する位置Ｙの第２の導関数は、非ゼロになり、輝度が下がる場合に時間Ｔに対する位置Ｙの勾配は上がり、輝度が下がる場合にその勾配は下がる。
【００２４】
図２Ａは、図１Ｂに示した垂直走査速度を用いた場合に走査される、プロジェクタ２４のカラービーム１２の予想される走査線間隔の例を示す。ここでの垂直走査は、一定の勾配２０を有する。
【００２５】
対照的に図２Ｂは、ラスター走査の異なる部分において垂直走査速度が故意に変わることによって走査線間隔がどのように変わるかを示す。この場合、より高い輝度が必要な場合、垂直速度成分は、より高い輝度が必要な領域において減衰する。輝度が必要ない場合、垂直速度成分は増加する。この例において、図２Ｂの画面の中央の横方向の部分は、低速走査領域２１であり、この領域は、２つの高速走査領域２２に囲まれ、それによって、領域２２を犠牲にして、付加的な光を領域２１により効率的に供給する。
【００２６】
図３Ａおよび３Ｂは、あるビデオフレームが均一な輝度を要求し、別のビデオフレームが不均一な輝度を要求する場合の本発明の例を示す。図３Ａに示す垂直走査速度によって、図２Ａで観測された均一な走査線間隔結果が作成され、図３Ｂに示す垂直走査速度によって、図２Ｂで観測された不均一な走査線間隔結果が作成される。図３Ｂは、図２Ｂの画面の中央の横方向の部分がどうのようにして狭い走査線間隔を有し得るかを示し、上方と下方の横方向の部分がどのようにして幅の広い間隔を有し得るかを示す。図２Ｂの間隔特徴は、図３Ｂに示すように、２つの高速走査領域２２に囲まれている低速走査領域２１を有するという結果が生じる。高速走査は、時間に対するミラーによる垂直動き勾配または走査ビームの変位が、走査線間隔が画面のフレームにわたって均一である、画面の一定または平均的な垂直動きまたは変位よりも大きいことを意味する。低速走査は、時間に対するミラーによる垂直動き勾配または走査ビームの変位が、走査線間隔が画面のフレームにわたって均一である、画面の一定または平均的な垂直動きまたは変位よりも小さいことを意味する。
【００２７】
要するに、本発明は、垂直走査速度を変調することによって表示のピーク輝度を有利に上げる。より具体的には、輝度を改善する走査速度変調（ＳＶＭ）は、レーザビームが明るい画素領域により長い時間留まるようにさせ、暗い画素領域により短い時間留まるようにさせることによって実現される。
【００２８】
ＳＶＭを水平および／垂直に実行することができることを指摘することが重要である。しかしながら、水平走査が高周波数であり、そして走査機構が力学的(mechanical)であるので、一般に実用的ではなく、現在水平ＳＶＭを実装するのは困難である。
【００２９】
この発明に照らして説明すると、水平ＳＶＭという表現は、走査速度が特定の表示の水平軌跡特徴ベースラインから外れる水平走査速度のある変化を意味することを目的とするということに留意されたい。これは、表示用に図１Ｃに示した水平軌跡特徴ベースラインが、可視画面領域内の意図的なあるわずかな非線形性を示すものであって、それに適用される水平ＳＶＭがないと見なされることを意味する。図１Ｃの半サイクルのうちの１つにおける現在の勾配特徴に対する、ある勾配変化がなければならないことになり、その変化は、表示が水平ＳＶＭを有することを考慮に入れる輝度の要求に応答する。同様に、画面と横方向に一列に並んでいない光源を含み得るか、またはビーム成形および／または画像の形と関連する幾何学的特異性／用件を含み得るといういくつかの理由により、垂直ベースライン走査速度に、ある弱い非線形性を組み込むことも実行可能である。そのため、垂直ＳＶＭは、ベースラインの勾配プロファイルから、輝度の要求に応答して時間に対する垂直位置の勾配におけるある偏向の存在を意味することを目的とする。
【００３０】
水平ＳＶＭを利用することができるが、本発明では、垂直走査成分が水平ＳＶＭに比べてかなり低い周波数を有し、そして相当な自由度を有する理由で、垂直ＳＶＭの使用により重点を置く。垂直ＳＶＭが用いられると、図２Ａと対照的な図２Ｂに示すように、水平走査線間隔が変調される。図２Ｂは、発明の原理を示すために効果を誇張している。実際には、変調は、走査線構造の顕著な可視性を防ぐ程度、および解像度の過度の劣化または走査線間隔が増加した垂直成分(detail)の劣化を防ぐ程度に制限される。
【００３１】
図４は、望ましい画面ピーク輝度を強化し、そしてより効率的に得るためのシステムアーキテクチャのブロック図を示す。このスキームにおいて、線輝度検出器４０１は、ビデオの各線の最大輝度値を判定するために用いられる。入力ビデオは、ビデオの個々の線に必要な輝度レベルを判定する検出器４０１で分析される。検出器は、単一の明るい画素に重み付けを与えすぎることを防ぐためのフィルタリングを使用することができる。図４のアーキテクチャのブロック４０３は、参照テーブルのセットを提供する。各テーブルの機能は、望ましい線間隔あるいは望ましい線周波数を示す値に線輝度値をマップすることである。複数のテーブルは、複数の表示プロファイルを提供するために用いられる。例えば、個々の参照テーブルは、コントローラ４０５が選択する最大輝度強化の異なるレベルにそれぞれ対応し得る。そのため、所与のビデオに対し、システムまたはコントローラ４０５は、特定の参照テーブルの利用と関連付けられた所与のフレームの画像を走査するために時間特性（垂直走査総時間など）および／または間隔特性（例えば、走査線集合間隔）を計算することができる。各参照テーブルの実装と関連付けられた線間隔値は、所与のフレームの各参照テーブルと関連付けられた各表示プロファイルの総フレーム値を作成する合計ブロック４０４で合計することが可能である。合計ブロック４０４のこのような総和は、所与の参照テーブルのパラメータの実装に必要な垂直走査総時間に効率的になり得る。コントローラ４０５は、ターゲット総数に最も良く一致するか、または少なくとも別の参照テーブルよりもさらに一致する参照テーブルのフレーム総数を見つけることができる。これは、コントローラ４０５が、最も高い画素輝度を作成する（またはその他の参照テーブルの出力よりも高い画素輝度を作成する）利用可能な参照テーブルを選択し、さらに固定されたビデオフレーム速度の制約に従って光ビームのすべての掃引が完全に走査されるようにさせることを意味し得る。言い換えれば、輝度を強化するが、少なすぎるまたは多すぎる水平走査を起こさせる、および／または固定されたビデオフレーム速度を低下させるように要求するような垂直走査速度の変化を要求する参照テーブルは、そのような所与のフレームに用いられない。コントローラ４０５は、その後、個々のピクセル位置を画面上に適切に配置する垂直補間器４０６を制御するために、対応する表示プロファイルを実装する。
【００３２】
垂直補間器４０６に関して、この発明では、画面のすべてのフレームの画素に対する走査線または光ビームの掃引は、固定されないことを指摘することが重要である。このことは、特定の走査線がすべてのフレームの表示面上の同じ特定の画素に充てられる周知のプロジェクタシステムと異なる。むしろ、この発明では、光ビームの出力が、異なるフレームのミラーの垂直および水平の位置付けにおいて固有に同期されるか、または特定のフレームに光ビームが走査される時に、色度および明度に関する光の適したレベルが画面の正しい画素位置に映し出されるような走査手段であって、特定の走査線の物理的位置および間隔は、フレームごとに変わり、そして特定の走査線が光を当てようとする画素は、フレームごとに変わる。例えば、発明の一実装において、あるフレームでは、５番目に完了した光ビームの水平走査が、画面画素の８番目の行のうちの１番目、２番目、および３番目の画素に必要な光を提供することができ、そして別のフレームでは、５番目に完了した光ビームの水平走査が、画面画素の６番目の行のうちの１番目、２番目、および３番目の画素に必要な光を提供することができる。
【００３３】
いずれにせよ、コントローラ４０５が入力を与えて、輝度変調器４０７でビームを変調し、それに応じて垂直走査制御部４０８を駆動して、適切な走査速度変調を選択させる。コントローラ４０５とビデオフレーム遅延プロセッサ４０２との両方は、垂直補間器４０６への入力として使用される。表示走査線の総数を一定に保つために、より近くに集まって表示される走査線は、一層離れて表示される走査線によってオフセットされなければならない。ビデオフレーム遅延プロセッサ４０２を用いて、コントローラ４０５が、所与のフレームのシステムコンポーネントを駆動するために、使用する最適なまたはより良い参照テーブルを判定し、そして使用するための適した値または制御信号を判定するために十分な時間が与えられることを確実にすることができる。走査線ごとの望ましい間隔が非線形の輝度関数であるので、参照テーブルを使用して輝度強化の最適なバランスを判定することができる。
【００３４】
以下の表は、画素輝度を２倍するプロファイルを表す参照テーブルの例を示す。
【００３５】
【表１】
2014518400.tif 000003
【００３６】
最大輝度が１００を有する線に対し、線間隔は、０．５０単位となる。ここでの１．００単位は、水平走査線の均一な間隔の線間隔次元である。従って、０．５０単位の間隔は、周知のプロジェクタ動作条件と比べた有効輝度を２倍する。最大輝度が２５またはそれよりも低い線に対し、走査線間隔は、２．００となり、そして２倍の走査線高さと２倍の輝度目標値との組み合わせを補償するためにレーザ強度を４倍にする必要があることになる。画像のコンテンツによって、このプロファイルは、ターゲット総数に一致するフレーム総数を与えてもよいし、与えなくてもよい。フレーム総数が不十分である場合、画素の輝度強化を抑制する必要があることになる。フレーム総数が必要以上に多い場合、走査線間隔は、フレームに比例して狭められことになる。どちらの状況においても、このような例に対応するプロファイルを有する参照テーブルを使用して、コントローラを導くであろう。この例において、参照テーブルは、走査線間隔出力を提供するということに留意されたい。代替的手法において、参照テーブルは、走査線周波数出力を提供する。
【００３７】
他の参照テーブルは、例えば、従来の可変でない走査速度を用いてシステムを動作するのに比べ、輝度を１．２５倍、１．５倍、３倍または４倍に効率的の強化する機会を提供することができる。例えば、他の参照テーブルは、１．２５倍（輝度目標値１２５）、１．５倍（輝度目標値１５０）、３倍（輝度目標値３００）、４倍（輝度目標値４００）の強化に対応することもでき、走査線間隔をそれぞれ、０．８０、０．６７、０，３３、０．２５の最小出力にすることもできる。このような他の参照テーブルに対し、走査線間隔が２．０（出力）から変わり始める輝度目標ポイントを上記のテーブル内の６０とすることができるか、またはその他のレベルとすることもでき、そして走査線最大間隔と走査線最小間隔との間の特定の値を上記のテーブル内と同様のやり方でスケールすることができる。上記に示した１つのテーブルおよび例は、発明を使用した概念を単に説明するものにすぎない。実際の参照テーブルは、より多いデータを含むことができ、そして異なる値を組み込むことができる。
【００３８】
この走査変調の特徴に関して要約すれば、画面上でビームを走査するミラーの走査速度変調を用いることによって輝度が改善される、レーザマイクロプロジェクタまたは発光ダイオードマイクロプロジェクタなどの、小型プロジェクタが提供される。輝度を上げるために、レーザビームまたは光は、より高い輝度を有すると見なされる画面領域により長い時間留まり、その結果として、レーザビームは、より低い輝度領域であると見なされる画面領域により短い時間留まる。表示高さを一定に保つために、より近くに集まっている走査線は、一層離れて表示される走査線とオフセットされる。そのシステムは、図２に示すように、１つのミラーを有し得るか、または複数のミラーを有し得る。また、複数のレーザのそれぞれが異なる原色に対することもあり得る。さらに、本開示は、１または複数のラスター走査ミラーを有する小型プロジェクタシステムが動作する方法として特徴付けられ、その方法は、映し出す画像の各領域が所定のターゲット輝度を有する画像を受信することと、ミラーの水平走査速度がその領域のターゲット輝度に概ね反比例するように、１つまたは複数のミラーで画面上の画像をラスター走査することを有する。
【００３９】
小型プロジェクタの別の特性は、不均一な走査パターンである。これは、輝度を改善するために行われた許容度の結果であることが多い。
【００４０】
本開示の第２の特徴は、可変速度走査によって生成される表示の均一性を改善するために、単独または一定の垂直速度走査または可変走査とともに使用することができるインターリーブ走査である。図５Ａおよび５Ｂは、一定の垂直速度走査を用いたインターリーブ走査の概念の例を示す。図５Ａは、図５Ｂに示すインターリーブパターンを構成する、第１のビーム１２ａと第２のビーム１２ｂから成る２つの完全に隣接したまたは背中合わせの全画像走査の垂直走査成分を具体的に示す。図５Ｂは、ビーム１２ａの第１の走査が時間Ｔ１＝０、垂直位置Ｔ＝＋ｆにおいてどのように開始されるかを示す。図５Ａに示すように、一定速度（またはビームのベースライン速度）でＴ１＝ｃ２における垂直位置Ｙ＝−ｆに向かって下るときに水平に振動するビーム１２ａが、正弦的に走査される。ビーム１２ａの走査は、図１に対する説明と同様のやり方において、最初にビームを左側に向けて開始し、そして走査の最左におけるオーバースキャン領域（即ち、左の消去領域１６）に向かわせる。図５Ｂは、第２のビーム１２ｂの走査がどのように時間Ｔ２＝０の垂直位置Ｙ＝＋ｆにおいて開始され、その後Ｔ２＝ｃ１に向かうを示す。ビームが一定速度で下に向かいながら水平に振動する第２の走査のビーム１２ｂが、正弦的に走査される。しかしながら、ここでは、走査は、図１に対する説明と同様のやり方において、最初に右側に向けて開始し、そして走査の最右における右の消去領域１５にオーバースキャンされる。その後、第１のビーム１２ａと第２のビーム１２ｂの走査を交互にしながらインターリーブが継続する。
【００４１】
インターリーブが適用される２つの方法がある。１番目の方法は、第１のビーム１２ａの１つの走査がビデオの完全フレームを表し、次のビーム１２ｂの次の走査がビデオの異なる完全フレームを表し、第１のビーム１２ａまたは第２のビーム１２ｂの所与の走査における各隣接走査線は、ビデオデータの隣接走査線を表す。図５Ｂは、ビーム１２ａの走査は、実行できるすべての画素が走査され、かつ各水平掃引が走査線である、第１の完全フレームであり、そしてビーム１２ｂの走査は、実行できるすべての画素も同様に走査される、第２の完全フレームであるという第１のシナリオを基本的に示す。
【００４２】
インターリーブを適用する第２の方法は、第１のビーム１２ａの１つの走査がビデオフレームの半分のみを表し、次のビーム１２ｂの次の走査がビデオフレームの残りの半分を表し、第１のビーム１２ａ自体の走査または第２のビーム１２ｂ自体の走査における隣接走査線は、２つの走査線ビデオデータがギャップによって間隔が開けられていることを表し、ギャップは、ビデオフレームの残り半分を走査することによるビデオデータの走査線により埋められる。このインターリーブ手法の簡素化した図を図６に示し、さらに、画面の左側に消去領域１６と右側に消去領域１５とを示す。より具体的には、図６は、ビデオデータの約半分のフレームがビーム１２ａによって最初に走査され、奇数の水平走査線１、３、５、７、９が作成され、第１の上部エッジ１３ａから第１の下部エッジ１４ａまでビームが走査されることを示す。次に、図６は、ビデオデータの残り半分のフレームがビーム１２ｂによって走査され、偶数の水平走査線２、４、６、８、１０が作成され、第２の上部エッジ１３ｂから第２の下部エッジ１４ｂまでビームが走査されることを示す。言い換えれば、このタイプのインターリーブ走査は、半分の水平走査線が交互に表示フレームを垂直シフトすることによって達成することができる。さらに、第１および第２のビームの走査に使用されるビデオデータが実際には異なるビデオフレームになり得ることは、本発明の範囲内である。
【００４３】
インターリーブが適用される場合、インターリーブされるラスター走査パターンに対応するためにビデオが再サンプルされることが好適である。
【００４４】
インターリーブの優位性は、画像の左側および左側で最も顕著である。
【００４５】
要するに、本発明の第２の部分は、１フレームまたは１サブフレーム内においてラスター走査を一方向により開始し、そして次のフレームまたは次のサブフレーム内においてラスター走査をそれと反対方向により開始するように、ラスター走査のインターリーブを用いることによって輝度が低下することなくディスプレイ／画面の均一性を改善する、小型プロジェクタとして特徴付けられる。小型プロジェクタが動作する方法は、映し出す画像を受信することと、奇数の水平走査線が一方向により走査され、そして偶数の水平走査線がその方向と反対の方向で走査されるように、画面上の第１の画像をミラーによりラスター走査することと、偶数の走査線が一方向で走査され、そして奇数の水平走査線がその方向と反対の方向で走査されるように、画面上の第２の画像をミラーによりラスター走査することに関与することもできる。この２つの連続したフレームは、実際には、ピクセルシフトのサブフレームと同様、サブフレームとすることができる。
【００４６】
本開示の第２の特徴と第１の特徴とを組み合わせて輝度を上げ、さらに均一性も維持することができることをさらに指摘するべきである。言い換えれば、インターリーブは、可変走査方法論を用いて輝度の改善を試みることによって生成されることもある一部の歪を修正できる。
【００４７】
図７は、可変走査速度の概念と第１のタイプのインターリーブ走査とを組み合わせたラスター走査パターンの一例のセットを示す。第１のタイプは、第１の連続したラスター走査７０３および第２の連続したラスター走査７０４が画面の上部において同じ水平レベルで開始することができ、右への走査により第１の走査７０４が開始し、そして左への走査により第２の走査７０３が開始する。図中、第１の画面場所７０２の垂直走査速度は、第２の画面場所７０１の垂直走査速度よりも速い。この特定の例において走査７０３および走査７０４が上部で走査を開始することを説明しているが、図７に示すパターンと同じパターンを備えるという条件において、１つまたは両方の走査を底部で開始し、そして上向きに走査できたであろうことは本発明の範囲内と見なされる。
【００４８】
図８は、可変走査速度の概念と第２のタイプのインターリーブ走査とを組み合わせたラスター走査パターンの別の例のセットを示す。第２のタイプは、第１の連続したラスター走査８０３および第２の連続したラスター走査８０４が画面の上部近くの異なる水平レベルで開始することができ、右への走査により第１の走査８０４が開始し、そして左への走査により第２の走査８０３が開始する。図中、第１の画面場所８０２の垂直走査速度は、第２の画面場所８０１における垂直走査速度よりも速い。この特定の例および本明細書にわたる他の例において走査が上部で開始することを説明しているが、図に示したさまざまなパターンを提供するために、一部またはすべての走査を底部で開始し、そして上向きに走査することができることは本発明の範囲内と見なされる。
【００４９】
図９は、本発明を実装する流れ図を表す。ブロック９０１は、映し出す複数のフレームまたはサブフレームの画像データを受信するステップを表す。ブロック９０２は、画面（１１）上に映し出す発生源から複数の光ビーム（１２、１２ａ、１２ｂ）を発生させるステップを表す。ブロック９０３は、走査速度変調を持たないインターリーブを実装するかどうか、走査速度変調を持つインターリーブを実装するかどうか、またはインターリーブを持たない走査速度変調を実装するかどうかを選択するための決定ステップである。走査速度変調を持たないインターリーブが選択されると、ビデオの個々のフレームまたはサブフレームに走査方法を割り当てる、ブロック９０７に進む。ブロック９０８は、ブロック９０７で割り当てられた奇数フレームまたは第１のサブフレームに対する第１のパターンに従った光ビーム（１２ａ）の走査を表す。少なくとも１つの画像を形成するために第１のパターンの走査を画面の第１のエッジ（１３ａ）から最終エッジ（１４ａ）まで開始する。第１のパターンは、ビームが第２の軸（Ｙ軸）に沿って順次走査する時に第１の軸（Ｘ軸）に沿って振幅振動するような走査線の波動パターンであって、第２の軸は、第１の軸とほぼ垂直であり、そして第１のパターンは、第１の軸に沿って第１の方向に向いている第１のエッジからの第１の振動を有する。ブロック９０９は、ブロック９０７で割り当てられた偶数フレームまたは第２のサブフレームに対する第２のパターンに従った光ビーム（１２ａ）の走査を表す。少なくとも別の画像を形成するために第１のパターンの走査を画面の第２のエッジ（１３ａ）から第２の最終エッジ（１４ａ）まで開始する。第２のパターンは、ビームが第２の軸に沿って順次走査する時に第１の軸に沿って振幅振動するような走査線の波動パターンであり、そして第２のパターンは、第１の方向と反対である第１の軸に沿って第２の方向に向いている第２のエッジからの第１の振動を有する。
【００５０】
インターリーブを持たない走査速度変調が選択されると、ブロック９０４に進む。ブロック９０４は、ビデオデータの個々のフレームまたはサブフレームの輝度特性を分析するステップを表し、線輝度検出器４０１は、ビデオの各線の最大輝度値を判定するために用いられる。次のブロック９０５は、コントローラ４０５による参照テーブル４０３の分析および選択を表し、コントローラ４０５は、特定の参照テーブルの使用と関連付けられた所与のフレームまたはサブフレームの画像を走査するために時間特性（垂直走査総時間など）および／または間隔特性（例えば、走査線集合間隔）を計算することができる。各参照テーブルの実装と関連付けられた線間隔値は、フレームまたはサブフレームの総値を作成する合計ブロック４０４で合計することが可能であり、その総数をブロック９０５に含むこともできる。次のステップは、ブロック９０６で表され、そして光源ならびに垂直および水平走査プロファイルの駆動条件を判定して使用することを含む。このステップは、第２の軸において可変走査速度値を用いることと、画像データに必要な輝度レベルに応答する走査速度値を割り当てることと、第２の軸に沿って方向付けられた完全走査線に必要な全輝度レベルと反比例するように走査速度値を設定することと、および／または画像データに必要な輝度レベルに応答して走査線が不均一な間隔になるように構成することに関与することができ、画像データは、ビデオのｎ数の完全フレームを備えることができ、そしてあるフレームから別のフレームまでの固定数の走査線が存在する。
【００５１】
インターリーブを持つ走査速度変調が選択されると、ブロック９１０に進む。ブロック９１０は、ビデオデータの個々のフレームまたはサブフレームの輝度特性を分析するステップを表し、線輝度検出器４０１は、ビデオの各線の最大輝度値を判定するために用いられる。次のブロック９１１は、コントローラ４０５による参照テーブル４０３の分析および選択を表し、コントローラ４０５は、特定の参照テーブルの使用と関連付けられた所与のフレームまたはサブフレームの画像を走査するために時間特性（垂直走査総時間など）および／または間隔特性（例えば、走査線集合間隔）を計算することができる。各参照テーブルの実装と関連付けられた線間隔値は、ブロック９１１に含まれることもできるフレームまたはサブフレームの総値を作成する合計ブロック４０４で合計することが可能である。次のステップは、ブロック９１２で表され、そして望ましい線間隔の光源ならびに垂直および水平走査プロファイルの駆動条件を判定することを含む。このステップは、第２の軸の望ましい可変走査速度値を判定することと、画像データに必要な輝度レベルに応答する走査速度値を割り当てることと、第２の軸に沿って方向付けられた完全走査線に必要な全輝度レベルと反比例するように走査速度値を設定することと、および／または画像データに必要な輝度レベルに応答して走査線が不均一な間隔になるように構成することに関与することができ、画像データは、ビデオのｎ数の完全フレームを備えることができ、そしてあるフレームから別のフレームまでの固定数の走査線が存在する。次のブロック９１３は、ビデオの個々のフレームまたはサブフレームを走査する方法を割り当てることである。ブロック９１４は、ブロック９１３で割り当てられた奇数フレームまたは第１のサブフレームに対する第１のパターンに従った光ビーム１２ａの走査を表す。少なくとも１つの画像を形成するために第１のパターンの走査を画面の第１のエッジ１３ａから最終エッジ１４ａまで開始する。第１のパターンは、ビームが第２の軸（Ｙ軸）に沿って順次走査する時に第１の軸（Ｘ軸）に沿って振幅振動するような走査線の波動パターンであって、第２の軸は、第１の軸とほぼ垂直であり、そして第１のパターンは、第１の軸に沿って第１の方向に向いている第１のエッジからの第１の振動を有する。ブロック９１５は、ブロック９１３で割り当てられた偶数フレームまたは第２のサブフレームに対する第２のパターンに従った光ビーム１２ａの走査を表す。少なくとも別の画像を形成するために第１のパターンの走査を画面の第２のエッジ１３ａから第２の最終エッジ１４ａまで開始する。第２のパターンは、ビームが第２の軸に沿って順次走査する時に第１の軸に沿って振幅振動するような走査線の波動パターンであり、そして第２のパターンは、第１の方向と反対である第１の軸に沿って第２の方向に向いている第２のエッジからの第１の振動を有する。
【００５２】
前述の説明は、本発明を実施する可能性の一部を示しているにすぎない。他の多くの実施形態は、発明の趣旨および範囲において実行可能である。従って、前述の説明は、限定するよりもむしろ説明のためものと見なされ、そして本発明の範囲は、添付の特許請求の範囲によってそれらの等価物の全範囲とともに与えられることを目的とする。例えば、本発明の多くの特徴は、小型プロジェクタの文脈において説明されているが、本発明は、他のプロジェクタシステムにも適用可能である。
【図１Ａ】
2014518400.tif 000004
【図１Ｂ】
2014518400.tif 000005
【図１Ｃ】
2014518400.tif 000006
【図２Ａ】
2014518400.tif 000007
【図２Ｂ】
2014518400.tif 000008
【図３Ａ】
2014518400.tif 000009
【図３Ｂ】
2014518400.tif 000010
【図４】
2014518400.tif 000011
【図５Ａ】
2014518400.tif 000012
【図５Ｂ】
2014518400.tif 000013
【図６】
2014518400.tif 000014
【図７】
2014518400.tif 000015
【図８】
2014518400.tif 000016
【図９】
2014518400.tif 000017
【国際調査報告】
2014518400.tif 000018
2014518400.tif 000019
2014518400.tif 000020
2014518400.tif 000021
2014518400.tif 000022